(57)【要約】【課題】  複数のデータファイルを１つのデータファイルにマージして出力させる場合に、マージされたデータファイル内のページを編集することができる画像出力装置を提供することを目的とする。【解決手段】  画像データの出力順序がページ情報としてそれぞれ定められた複数のデータファイルを保持するデータファイル記憶部と、外部端末装置からのマージ要求に基づいて、複数のデータファイルを編集対象ファイルとして読み出す編集対象ファイル読出部と、編集対象ファイルとして読み出された各データファイルについてページ情報を画像データに再割当てし、新たなデータファイルとして編集属性ファイルを生成する編集属性ファイル生成部と、外部端末装置からのファイル編集要求に基づいて、編集属性ファイル内における各画像データのページ情報を編集するファイル編集部により構成される。【選択図】  図２
2009232122.tif 000002
【特許請求の範囲】
【請求項１】
１又は２以上の画像データからなるデータファイルを外部端末装置からの指示に基づいて出力する画像出力装置であって、
上記画像データの出力順序がページ情報としてそれぞれ定められた２以上の上記データファイルを保持する画像出力装置において、
上記２以上のデータファイルを保持するデータファイル記憶部と、
上記外部端末装置からのマージ要求に基づいて、複数の上記データファイルを編集対象ファイルとして読み出す編集対象ファイル読出部と、
上記編集対象ファイルとして読み出された各データファイルについて上記ページ情報を画像データに再割当てし、新たなデータファイルとして編集属性ファイルを生成する編集属性ファイル生成部と、
上記外部端末装置からのファイル編集要求に基づいて、上記編集属性ファイル内における各画像データの上記ページ情報を編集するファイル編集部とを備えたことを特徴とする画像出力装置。
【請求項２】
上記編集属性ファイルの元になった編集対象ファイルのファイル名情報及びページ情報を編集対象属性情報として保持する編集対象属性情報記憶部と、
上記編集対象属性情報を当該外部端末装置に転送する属性情報転送部とを備えたことを特徴とする請求項１に記載の画像出力装置。
【請求項３】
上記外部端末装置から転送された文字列からなるテキストデータのフォーマットを変更して、画像データを生成する画像データ生成部を備え、
上記ファイル編集部が、上記外部端末装置からのページ追加要求に基づいて、上記画像データ生成部によって生成された画像データを上記編集属性ファイルに付加することを特徴とする請求項１に記載の画像出力装置。
【発明の詳細な説明】
【技術分野】
【０００１】
本発明は、画像出力装置に係り、さらに詳しくは、画像データの出力順序がページ情報としてそれぞれ定められた複数のデータファイルを保持し、外部端末装置からの指示に基づいてデータファイルを出力する画像出力装置の改良に関する。
【背景技術】
【０００２】
スキャナ機能、プリンタ機能、ＦＡＸ（ファクシミリ）機能などを備え、外部端末装置からの指示に基づいて画像データを出力する画像出力装置として、複合機が知られている。通常、複合機内には、原稿から読み取った画像データ、ＦＡＸ受信した画像データなどが保持され、ＬＡＮなどの通信ネットワーク上のＰＣ（パーソナルコンピュータ）からの指示でこれらの画像データを出力させることができる。
【０００３】
複合機内の画像データは、マルチＴＩＦＦ（Tagged Image File Format）などのマルチページフォーマットの場合、複数のページからなるデータファイル内の１ページとして保持され、各ページの出力順序などがページ情報として管理される。最近では、ＰＣ上における操作によって、複合機内の複数のデータファイルを１つのデータファイルにマージして出力させることができる複合機が提案されている。また、ＰＣ上の操作によって、１つのデータファイル内の一部のページを削除し、或いは、各ページの出力順序を変更することができる画像出力装置も知られている（例えば、特許文献１）。
【特許文献１】特開２００３−１６９２０３号公報
【発明の開示】
【発明が解決しようとする課題】
【０００４】
上述した様な従来の画像出力装置では、複数のデータファイルを１つのファイルにマージして出力させた場合に、必要のないページが出力され、或いは、各ページが所望の順序とは異なる順序で出力されてしまうという問題があった。
【０００５】
本発明は、上記の事情に鑑みてなされたものであり、画像出力装置内の複数のデータファイルを１つのデータファイルにマージして出力させる場合に、マージされたデータファイル内のページを編集することができる画像出力装置を提供することを目的とする。特に、マージされたデータファイル内の一部のページを削除し、或いは、各ページの出力順序を変更することができる画像出力装置を提供することを目的とする。また、マージされたデータファイルに外部端末装置上で作成されたテキストデータを追加することができる画像出力装置を提供することを目的とする。
【課題を解決するための手段】
【０００６】
第１の本発明による画像出力装置は、１又は２以上の画像データからなるデータファイルを外部端末装置からの指示に基づいて出力し、上記画像データの出力順序がページ情報としてそれぞれ定められた２以上の上記データファイルを保持する画像出力装置であって、上記２以上のデータファイルを保持するデータファイル記憶部と、上記外部端末装置からのマージ要求に基づいて、複数の上記データファイルを編集対象ファイルとして読み出す編集対象ファイル読出部と、上記編集対象ファイルとして読み出された各データファイルについて上記ページ情報を画像データに再割当てし、新たなデータファイルとして編集属性ファイルを生成する編集属性ファイル生成部と、上記外部端末装置からのファイル編集要求に基づいて、上記編集属性ファイル内における各画像データの上記ページ情報を編集するファイル編集部とを備えて構成される。
【０００７】
この画像出力装置では、外部端末装置からのマージ要求に基づいて読み出した編集対象ファイルについてページ情報を画像データに再割当し、編集属性ファイルが生成される。そして、外部端末装置からのファイル編集要求に基づいて、編集属性ファイル内の各画像データについてページ情報の編集が行われる。この様な構成によれば、編集属性ファイルについてページ情報の編集が行われるので、画像出力装置内の複数のデータファイルを１つのデータファイルにマージして出力させる場合に、マージされたデータファイル内のページを編集することができる。特に、マージされたデータファイル内の一部のページを削除し、或いは、各ページの出力順序を変更することができる。
【０００８】
第２の本発明による画像出力装置は、上記構成に加え、上記編集属性ファイルの元になった編集対象ファイルのファイル名情報及びページ情報を編集対象属性情報として保持する編集対象属性情報記憶部と、上記編集対象属性情報を当該外部端末装置に転送する属性情報転送部とを備えて構成される。この様な構成によれば、ファイル名情報及びページ情報が編集対象属性情報として外部端末装置に転送されるので、編集対象属性情報を外部端末装置上で表示することによって、編集作業を行い易くすることができる。特に、編集属性ファイルについてページを削除したり、各ページの出力順序を変更する作業を外部端末装置上で行う際の利便性を向上させることができる。
【０００９】
第３の本発明による画像出力装置は、上記構成に加え、上記外部端末装置から転送された文字列からなるテキストデータのフォーマットを変更して、画像データを生成する画像データ生成部を備え、上記ファイル編集部が、上記外部端末装置からのページ追加要求に基づいて、上記画像データ生成部によって生成された画像データを上記編集属性ファイルに付加するように構成される。この様な構成によれば、外部端末装置から転送されたテキストデータがページ追加要求に基づいて編集属性ファイルに付加されるので、マージされたデータファイルに外部端末装置上で作成されたテキストデータを追加することができる。
【発明の効果】
【００１０】
本発明による画像出力装置によれば、編集属性ファイルについてページ情報の編集が行われるので、画像出力装置内の複数のデータファイルを１つのデータファイルにマージして出力させる場合に、マージされたデータファイル内のページを編集することができる。特に、マージされたデータファイル内の一部のページを削除し、或いは、各ページの出力順序を変更することができる。また、外部端末装置から転送されたテキストデータがページ追加要求に基づいて編集属性ファイルに付加されるので、マージされたデータファイルに外部端末装置上で作成されたテキストデータを追加することができる。
【発明を実施するための最良の形態】
【００１１】
図１は、本発明の実施の形態による画像出力装置を含む画像処理システム１００の一構成例を示したシステム図である。この画像処理システム１００は、ＭＦＰ１０、ＬＡＮ（Local Area Network）２０及びＰＣ３０により構成され、ＭＦＰ１０がＰＣ３０からの指示に基づいて画像データ１６からなるデータファイル１７を出力するシステムとなっている。
【００１２】
ＰＣ３０は、ＬＡＮ２０に接続された外部端末装置であり、操作部３１及び表示部３２を有する。
【００１３】
ＭＦＰ（Multi-Function Peripheral：複合機）１０は、スキャナ機能、プリンタ機能及びＦＡＸ機能を備え、ＰＣ３０からの指示に基づいて、１又は２以上の画像データ１６からなるデータファイル１７を出力する画像出力装置である。このＭＦＰ１０は、ＦＡＸ送受信部１１、主制御部１２、原稿読取部１３、プリンタエンジン部１４、メモリ１５及びＬＡＮ通信部１８により構成される。
【００１４】
ＦＡＸ送受信部１１は、ＰＳＴＮ（Public Switched Telephone Networks：公衆電話交換回線網）を介して外部機器と通信を行うための通信制御部である。ＬＡＮ通信部１８は、ＬＡＮ２０を介してＰＣ３０と通信を行うための通信制御部である。
【００１５】
原稿読取部１３は、原稿を光学的に読み取って、画像データを生成する光学読取装置であり、露光用光源、撮像素子、スキャン用モーターなどによって構成される。プリンタエンジン部１４は、画像データを可視化して用紙に印刷する用紙印刷装置であり、感光体ドラム用モーター、帯電器、現像装置、転写装置、定着装置などによって構成される。
【００１６】
メモリ１５は、原稿読取部１３が原稿から読み取った画像データ、ＦＡＸ受信した画像データ、ＰＣ３０から転送された画像データをデータファイル１７として保持するためのデータファイルの記憶装置であり、例えば、フラッシュメモリからなる。ここでは、１つの画像データからなるデータファイルは、シングルＴＩＦＦの画像データとして保持され、２以上の画像データからなるデータファイルは、マルチＴＩＦＦの画像データとして保持されるものとする。
【００１７】
マルチＴＩＦＦの画像データは、出力順序がページ情報として予め定められたマルチページフォーマットの画像データであり、画像のサイズ、圧縮方法、カラー形式などをページごとに異ならせることができる。メモリ１５には、この様な複数のデータファイル１７が保持されている。
【００１８】
このＭＦＰ１０では、ＰＣ３０から蓄積ファイルの転送要求を受信した場合に、メモリ１５内に蓄積されているデータファイル１７のファイル名などを蓄積ファイル情報として当該ＰＣ３０へ送信する動作が行われる。ＰＣ３０では、ＭＦＰ１０から転送された蓄積ファイル情報に基づいて、蓄積ファイルのファイル名を表示部３２に一覧表示する動作が行われる。そして、オペレータは、操作部３１を操作して蓄積ファイルのいずれかを選択し、出力先デバイスを指定することにより、ＭＦＰ１０に所望の出力処理を実行させることができる。
【００１９】
ＭＦＰ１０では、メモリ１５上のデータファイル１７について、ＰＣ３０から出力要求を受信した場合に、当該出力要求に基づいて、メモリ１５からデータファイル１７を読み出し、出力先デバイスに出力する動作が行われる。例えば、ＰＣ３０からＦＡＸ送信要求があれば、ＦＡＸ送信要求で指定されたデータファイル１７をメモリ１５から読み出してＦＡＸ送受信部１１へ出力し、ＦＡＸ送信する動作が行われる。また、ＰＣ３０からプリント要求があれば、プリント要求で指定されたデータファイル１７をメモリ１５から読み出してプリンタエンジン部１４へ出力し、用紙に印刷する動作が行われる。また、外部端末装置への転送要求がＰＣ３０から受信した場合には、当該転送要求で指定されたデータファイル１７をメモリ１５から読み出してＬＡＮ通信部１８へ出力し、ＬＡＮ２０を介して外部端末装置へ送信する動作が行われる。
【００２０】
また、ＭＦＰ１０では、メモリ１５上のデータファイル１７について、ＰＣ３０からマージ要求を受信した場合に、メモリ１５から複数のデータファイル１７を読み出してマージする動作が行われる。マージとは、１又は２以上の画像データ（ページ）からなる複数のデータファイルを結合して、１つのデータファイルを新たに作成することである。
【００２１】
複数のデータファイル１７のマージ処理では、当該各データファイルについて、ページ情報が画像データ１６に再割当てされる。例えば、ページＡ１〜ＡＮ１のデータファイルＡと、ページＢ１〜ＢＮ２のデータファイルＢと、ページＣ１〜ＣＮ３のデータファイルＣとをマージした場合、（Ｎ１＋Ｎ２＋Ｎ３）個の画像データからなるページファイルが作成され、各画像データにページＤ１〜Ｄ（Ｎ１＋Ｎ２＋Ｎ３）のいずれかが択一的に割り当てられる。
【００２２】
図２は、図１のＭＦＰ１０の要部における構成例を示したブロック図であり、主制御部１２内の機能構成の一例が示されている。この主制御部１２は、編集対象ファイル読出部１、編集属性ファイル生成部２、属性情報記憶部３、属性情報転送部４、ファイル編集部５及び画像データ生成部６により構成される。
【００２３】
編集対象ファイル読出部１は、ＰＣ３０からのマージ要求に基づいて、メモリ１５から複数のデータファイル１７を編集対象ファイルとして読み出す動作を行っている。
【００２４】
編集属性ファイル生成部２は、編集対象ファイルとして読み出された各データファイル１７についてページ情報を画像データ１６に再割当てし、新たなデータファイルとして編集属性ファイルを生成するマージ処理部である。ここでは、ＰＣ３０上でオペレータが指定した順序で、編集対象の各データファイル１７が結合されるものとする。
【００２５】
本明細書では、この様に複数のデータファイル１７をマージすることによって新たに作成されるデータファイルを編集属性ファイルと呼んで他のデータファイルと区別している。編集属性ファイルは、編集属性ファイル生成部２によってメモリ１５に書き込まれる。
【００２６】
属性情報記憶部３には、編集属性ファイルの元になった編集対象ファイルのファイル名情報と、ページ情報とを編集対象属性情報として保持される。属性情報転送部４は、マージ要求に対する応答として、属性情報記憶部３内の編集対象属性情報をＰＣ３０に転送する動作を行っている。この編集対象属性情報は、ＬＡＮ通信部１８を介してＰＣ３０に転送され、マージ元のデータファイル１７を一覧表示するのに用いられる。
【００２７】
ファイル編集部５は、ＰＣ３０からのファイル編集要求に基づいて、メモリ１５からデータファイル１７を読み出し、読み出したデータファイル内における各画像データのページ情報を編集する動作を行っている。編集処理としては、マージされたデータファイル（編集属性ファイル）内の一部のページを削除し、或いは、各ページの出力順序を変更する処理が行われる。編集後のデータファイルは、ファイル編集部５によってメモリ１５に書き込まれ、編集内容に応じて属性情報記憶部３内の属性情報が更新される。
【００２８】
画像データ生成部６は、ＰＣ３０から転送された文字列からなるテキストデータのフォーマットを変更して、ＴＩＦＦ形式の画像データを生成する動作を行っている。
【００２９】
ファイル編集部５では、ＰＣ３０からのページ追加要求に基づいて、画像データ生成部６によって生成された画像データを編集属性ファイルに付加する動作が行われる。これにより、ＰＣ３０上で作成されたテキストデータをマージされたデータファイルに追加することができる。
【００３０】
図３は、図１のＰＣ３０の動作の一例を示した図であり、表示部３２上に表示される編集ダイアログ４１が示されている。編集ダイアログ４１は、ＭＦＰ１０上の複数のデータファイル１７をマージ対象として指定した場合に、オペレータによる操作に基づいて表示部３２上に表示される入力画面であり、所定のＷｅｂブラウザによって生成される。
【００３１】
この編集ダイアログ４１には、ファイル名の入力ボックス４２と、保存ボタン４３と、ページ選択ボックス４４と、上ボタン４５及び下ボタン４６と、削除ボタン４７と、テキスト編集ボタン４８とが配置されている。
【００３２】
入力ボックス４２は、マージされた編集属性ファイルのファイル名を入力するための入力欄である。ここでは、オペレータが特にファイル名を指定しなければ、デフォルトのファイル名が自動的に割り当てられるものとする。保存ボタン４３は、編集属性ファイルをメモリ１５内に格納するための操作アイコンである。
【００３３】
ページ選択ボックス４４は、マージ元の各データファイルについて、データファイル内のページを選択するための入力欄であり、ページごとに設けられている。上ボタン４５は、ページ選択ボックス４４内にチェックマークを入力することによって選択されたページについて、ページ順位（出力順位）をインクリメントするための操作アイコンである。下ボタン４６は、ページ選択ボックス４４内にチェックマークを入力することによって選択されたページについて、ページ順位（出力順位）をデクリメントするための操作アイコンである。
【００３４】
削除ボタン４７は、ページ選択ボックス４４内にチェックマークを入力することによって選択されたページを削除するための操作アイコンである。テキスト編集ボタン４８は、編集属性ファイルにテキストデータを追加するための操作アイコンである。
【００３５】
ページ選択ボックス４４に対応づけて配置されているページアイコン（「Ｐ１」、「Ｐ２」など）をクリックすれば、当該ページ内の画像データを表示させることができる。
【００３６】
また、テキスト編集ボタン４８を操作すれば、テキストデータを入力するためのウィンドウ画面が表示され、文字を入力することができる。このウィンドウ画面上で入力された文字列からなるテキストデータは、オペレータによる操作に基づいてＭＦＰ１０に転送され、当該ＭＦＰ１０上のフォントデータに基づいて、追加用の新たなページとして画像データに変換される。
【００３７】
図４〜図６は、図１のＭＦＰ１０における動作の一例を示したフローチャートである。図４のステップＳ１０１〜Ｓ１１５には、ＰＣ３０からマージ要求を受信した場合に、当該マージ要求に対する応答として編集対象ファイルの属性情報を転送するまでの処理手順が示されている。まず、ＰＣ３０から蓄積ファイルの転送要求を受信した場合に、その転送要求に基づいてメモリ１５からデータファイル１７のファイル名が読み出され、蓄積ファイル情報が生成される。この蓄積ファイル情報は、上記転送要求に対する応答としてＬＡＮ通信部１８を介してＰＣ３０へ送信される（ステップＳ１０１，Ｓ１０２）。
【００３８】
次に、編集対象ファイル読出部１は、ＰＣ３０からマージ要求が受信した場合に、そのマージ要求において編集対象として指定されているデータファイルを編集対象ファイルとしてメモリ１５から読み出す（ステップＳ１０３，Ｓ１０４）。このとき、編集属性ファイル生成部２は、編集対象ファイルとして読み出されたデータファイルについて、複数ページが存在すれば、その複数ページからなるマルチＴＩＦＦの画像データをシングルＴＩＦＦの画像データに変換する（ステップＳ１０５，Ｓ１０６）。また、編集属性ファイル生成部２は、ファイル名及びページ情報を属性情報として抽出する（ステップＳ１０７）。
【００３９】
ステップＳ１０４からステップＳ１０７までの処理手順は、編集対象として指定された全てのデータファイルについてシングルＴＩＦＦへのページ分割処理が完了するまで繰り返され（ステップＳ１０８）、ページ分割処理が完了すれば、マージ要求に対する応答として編集対象ファイルの属性情報がＰＣ３０へ送信される（ステップＳ１０９）。
【００４０】
一方、出力処理部１は、蓄積ファイル情報の送信後、ＰＣ３０からデータファイル１７の出力要求が受信した場合に、その出力要求に基づいて出力処理を行う。すなわち、ＦＡＸ送信要求があった場合には、ＦＡＸ送信要求において指定されているデータファイル１７がメモリ１５から読み出され、ＦＡＸ送受信部１１へ出力されてＦＡＸ送信処理される（ステップＳ１１０，Ｓ１１１）。また、プリント要求があった場合には、プリント要求において指定されているデータファイル１７がメモリ１５から読み出され、プリンタエンジン部１４へ出力されて印刷処理される（ステップＳ１１２，Ｓ１１３）。また、ＰＣ３０への転送要求があった場合には、その転送要求において指定されているデータファイル１７がメモリ１５から読み出され、ＬＡＮ通信部１８へ出力されて転送処理される（ステップＳ１１４，Ｓ１１５）。
【００４１】
図５のステップＳ２０１〜Ｓ２０５には、ＰＣ３０からファイル編集要求を受信した場合に、編集属性ファイルを編集する際の処理手順が示されている。ファイル編集部５は、ステップＳ１０９における編集対象ファイルの属性情報の送信後、ＰＣ３０からファイル編集要求があった場合に、そのファイル編集要求に基づいて編集属性ファイルの編集を行う（ステップＳ２０１）。
【００４２】
すなわち、ページの入れ替えがファイル編集要求で指定されている場合には、編集属性ファイル内の各ページについて、ページ割当てを変更することによってページが入れ替えられるとともに、属性情報の出力順序が変更される（ステップ２０２，Ｓ２０３）。また、一部のページの削除がファイル編集要求で指定されている場合には、編集属性ファイル内の一部のページについて、ページ割当てを変更することによって当該ページを削除するとともに、削除ページに対応する属性情報が削除される（ステップ２０２，Ｓ２０４，Ｓ２０５）。
【００４３】
ページの入れ替え後、及び、ページ削除後は、ステップＳ１０９の処理手順が繰り返される。ページ入れ替え及びページ削除のいずれでもない場合には、ステップＳ３０１の処理手順へ移行する。
【００４４】
図６のステップＳ３０１〜Ｓ３０７には、ＰＣ３０から編集属性ファイルの保存要求を受信した場合に、編集属性ファイルをメモリ１５に書き込んで蓄積ファイル情報を更新するまでの処理手順が示されている。ＰＣ３０からのファイル編集要求において、ファイル名の変更が指定されている場合には、編集属性ファイルのファイル名が当該ファイル編集要求に基づいて変更され、ステップＳ１０９の処置手順が繰り返される（ステップＳ３０１，Ｓ３０７）。
【００４５】
一方、ファイル編集部５では、編集属性ファイルの保存要求が受信した場合に、編集対象ファイルから得られたシングルＴＩＦＦの画像データを属性情報に基づいて合成し、マルチＴＩＦＦの画像データが作成される。このシングルＴＩＦＦ画像のマルチＴＩＦＦ化によって編集対象ファイルが完成する（ステップＳ３０２〜Ｓ３０４）。そして、ファイル編集部５が完成した編集対象ファイルをメモリ１５内にデータファイル１７として書き込むことにより、蓄積ファイル情報が更新される。蓄積ファイル情報の更新後、メモリ１５の作業領域内に一時保持されていた属性情報及びシングルＴＩＦＦの画像データなどが削除され、ステップＳ１０２の処理手順が繰り返される。
【００４６】
ページ入れ替え、ページ削除及び保存要求のいずれもなかった場合には、ステップＳ２０１の処理手順が繰り返される。
【００４７】
本実施の形態によれば、編集属性ファイルについてページ情報の編集が行われるので、ＭＦＰ１０内の複数のデータファイル１７を１つのデータファイルにマージして出力させる場合に、マージされたデータファイル内のページを編集することができる。特に、マージされたデータファイル内の一部のページを削除し、或いは、各ページの出力順序を変更することができる。また、ファイル名情報及びページ情報が編集対象属性情報としてＰＣ３０に転送されるので、編集対象属性情報をＰＣ３０上で表示することによって、編集作業を行い易くすることができる。特に、編集属性ファイルについてページを削除したり、各ページの出力順序を変更する作業をＰＣ３０上で行う際の利便性を向上させることができる。
【図面の簡単な説明】
【００４８】
【図１】本発明の実施の形態による画像出力装置を含む画像処理システム１００の一構成例を示したシステム図である。
【図２】図１のＭＦＰ１０の要部における構成例を示したブロック図であり、主制御部１２内の機能構成の一例が示されている。
【図３】図１のＰＣ３０の動作の一例を示した図であり、表示部３２上に表示される編集ダイアログ４１が示されている。
【図４】図１のＭＦＰ１０における動作の一例を示したフローチャートであり、マージ要求に対して編集対象の属性情報を転送するまでの処理手順が示されている。
【図５】図１のＭＦＰ１０における動作の一例を示したフローチャートであり、編集属性ファイルを編集する際の処理手順が示されている。
【図６】図１のＭＦＰ１０における動作の一例を示したフローチャートであり、編集属性ファイルを書き込んでファイル情報を更新するまでの処理手順が示されている。
【符号の説明】
【００４９】
１  編集対象ファイル読出部
２  編集属性ファイル生成部
３  属性情報記憶部
４  属性情報転送部
５  ファイル編集部
６  画像データ生成部
１０  ＭＦＰ
１１  ＦＡＸ送受信部
１２  主制御部
１３  原稿読取部
１４  プリンタエンジン部
１５  メモリ
１６  画像データ
１７  データファイル
１８  ＬＡＮ通信部
２０  ＬＡＮ
３０  ＰＣ
３１  操作部
３２  表示部
４１  編集ダイアログ
１００  画像処理システム
【図１】
2009232122.tif 000003
【図２】
2009232122.tif 000004
【図３】
2009232122.tif 000005
【図４】
2009232122.tif 000006
【図５】
2009232122.tif 000007
【図６】
2009232122.tif 000008